(57)【要約】      （修正有）【課題】釣糸をラインガイドに容易に挿通させることができ、かつ、釣竿、ラインガイド等にダメージを与えない釣竿用糸通しを提供する。【解決手段】釣竿用糸通し１は、本体１１と、本体１１を被覆する被覆材１２と、釣糸が保持される保持器３０とを有する。本体１１は、ステンレスワイヤー線からなる。保持器３０は、本体１１の一端部に設けられている。被覆材１２は、保持器３０を露出させた状態で本体１１を被覆する。保持器３０は、釣糸が挿通可能な挿通孔を備えている。本体１１と保持器３０との境界部分は被覆材１２により被覆されている。本体１１の他端部には、把手２０が設けられている。【選択図】図２
0003202614.tif 000002
【実用新案登録請求の範囲】
【請求項１】
ステンレスワイヤー線からなる本体と、
当該本体の一端部に設けられ、釣糸を保持する保持器と、
当該保持器を露出させた状態で上記本体を被覆する被覆材とを備える釣竿用糸通し。
【請求項２】
上記保持器は、釣糸が挿通可能な挿通孔を備えている請求項１に記載の釣竿用糸通し。
【請求項３】
上記保持器は、
上記本体の軸方向と交差する方向に湾曲された第１湾曲部と、
当該第１湾曲部に連続して上記軸方向に延びる第１真直部と、
当該第１真直部に連続して当該第１真直部と対向し且つ当接する第２真直部と、
当該第２真直部に連続して上記軸方向に対して上記第１湾曲部と対称に配置されることにより上記挿通孔を形成する第２湾曲部とを備えている請求項２に記載の釣竿用糸通し。
【請求項４】
上記本体の他端部に把手が設けられる請求項１から３のいずれかに記載の釣竿用糸通し。
【請求項５】
上記把手は、一対の把手半体を有し、当該一対の把手半体は、上記本体を挟持している請求項４に記載の釣竿用糸通し。
【請求項６】
上記本体の直径は、０．２ｍｍ〜０．５ｍｍに設定され、上記本体の長さは２０ｃｍ〜３５ｃｍである請求項１から５のいずれかに記載の釣竿用糸通し。
【考案の詳細な説明】
【技術分野】
【０００１】
この考案は、釣竿に設けられたラインガイドに釣糸を挿通させる釣竿用糸通しに関し、特に、ワカサギ釣り用の釣竿に好適な釣竿用糸通しに関するものである。
【背景技術】
【０００２】
釣糸をラインガイドに通すために使用される釣竿用糸通しとして、リールのスプールバンドとの兼用が可能な商品が知られている（非特許文献１）。この釣竿用糸通しは、線状に形成された本体の一端部に、釣糸が保持される保持器が設けられている。本体の長さは２０ｃｍ〜３０ｃｍ程度であり、当該本体は、ゴム製である。釣糸がリールのスプールに巻き取られる際に、釣糸の先端部が上記本体の一端部に保持されることにより、当該釣糸に続いて釣竿用糸通しがスプールに巻き込まれる。上記本体は一定の可撓性及び伸縮性を備えており、釣糸に続いてスプールに巻き込まれることにより、当該スプールに巻き付いて固定されるようになっている。これにより、釣竿用糸通しは、スプールに巻回された釣糸が緩むことを防止するスプールバンドとして機能する。
【０００３】
また、釣糸が釣竿に設けられたラインガイドに挿通される場合には、上記本体がリールのスプールから取り外されて、リールに近い側のラインガイドから順に挿通される。上記保持器に釣糸が保持されているから、釣竿用糸通しがすべてのラインガイドに挿通された状態で、上記釣糸がすべてのラインガイドに簡単に挿通される。
【先行技術文献】
【非特許文献】
【０００４】
【非特許文献１】ナチュラム・イーコマース株式会社ウェブサイト「URL:http://www.naturum.co.jp/item/549762.html」（平成２７年１１月２日検索）
【考案の概要】
【考案が解決しようとする課題】
【０００５】
上記商品はゴム製であり、スプールに釣糸と共に巻き込まれるように所要の可撓性を備えている。換言すれば、上記商品の本体の剛性は、比較的小さい。また、スプールバンドとして機能させるために、上記本体の直径は比較的大きい。
【０００６】
そのため、釣竿に設けられたラインガイドの内径が小さい場合（たとえばワカサギ用釣竿に設けられたラインガイド）、釣竿用糸通しをラインガイドに挿通させる作業が困難となり、上記本体や保持器がラインガイドに接触してラインガイドを損傷させるおそれがある。この不具合は、上記本体が細径であれば避けられるが、単に上記本体の外径が小さくなれば当該本体の剛性が極端に低下し、当該本体をラインガイドに挿通させる作業は益々困難になる。
【０００７】
本考案はかかる背景のもとになされたものであって、その目的は、ラインガイドに対して釣糸を容易且つ迅速に挿通でき、かつ、釣竿、ラインガイド等が傷付くことを防止できる釣竿用糸通しを提供することである。
【課題を解決するための手段】
【０００８】
(1) 本考案に係る釣竿用糸通しは、ステンレスワイヤー線からなる本体と、当該本体の一端部に設けられ、釣糸を保持する保持器と、当該保持器を露出させた状態で上記本体を被覆する被覆材とを備える。
【０００９】
本考案に係る釣竿用糸通しでは、本体がステンレスワイヤー線からなるので、本体の直径が小さくても高い剛性が発揮され、当該本体は、常時（すなわち外力が作用しない状態において）真直な状態が維持される。したがって、釣人は、上記本体を操作して釣竿の軸方向に沿って移動させることができ、当該本体をラインガイドに容易に挿通させることができる。また、上記本体に設けられた被覆材によって、当該本体自身、釣竿又はラインガイド等が損傷を受けることが防止される。
【００１０】
釣人は、保持器を先頭にして釣竿用糸通しをトップガイドから順にすべてのラインガイドに挿通させる。もし保持器がラインガイドに当接した場合、上記本体は弾性的に湾曲するが、上記保持器とラインガイドとの当接状態が解除されるように当該本体が逆方向に移動されると、当該本体の変形が復帰して再び当該本体は真直となる。釣人は、再び上記保持器をラインガイドに挿通させる動作をすることによって、上記本体は、簡単にラインガイドに挿通される。つまり、釣人は、上記本体を釣竿の軸方向に沿ってスライドさせるという簡単な操作により、上記保持器をラインガイドに挿通させることができる。
【００１１】
(2) 上記保持器は、釣糸が挿通可能な挿通孔を備えているのが好ましい。この構成によれば、挿通孔に挿通された釣糸が保持器によって容易に保持される。
【００１２】
(3) 上記保持器は、上記本体の軸方向と交差する方向に湾曲された第１湾曲部と、当該第１湾曲部に連続して上記軸方向に延びる第１真直部と、当該第１真直部に連続して当該第１真直部と対向し且つ当接する第２真直部と、当該第２真直部に連続して上記軸方向に対して上記第１湾曲部と対称に配置されることにより上記挿通孔を形成する第２湾曲部とを備えているのが好ましい。
【００１３】
この構成によれば、挿通孔に挿通された釣糸は、第１真直部及び第２真直部の間に挟み込まれて保持される。
【００１４】
(4) 上記本体の他端部に把手が設けられるのが好ましい。この構成によれば、釣人は、把手を把持した状態で本体を操作できる。
【００１５】
(5) 上記把手は、一対の把手半体を有し、当該一対の把手半体は、上記本体を挟持しているのが好ましい。この構成によれば、本体に対する把手の取り付けが容易になる。
【００１６】
(6) 上記本体の直径は、０．２ｍｍ〜０．５ｍｍに設定され、上記本体の長さは２０ｃｍ〜３５ｃｍであるのが好ましい。この構成によれば、ワカサギ釣り用の釣竿に設けられた全てのラインガイドに対して保持器を容易に挿通できる。
【考案の効果】
【００１７】
本考案によれば、釣人による本体の操作により、ラインガイドに対して保持器を容易に挿通させることができる。また、保持器に釣糸を係止させ、ラインガイドから引き抜かれることにより、釣糸がすべてのラインガイドに簡単に且つ迅速に通される。しかも、本体が被覆材によって被覆されていることにより、釣竿、ラインガイド等が傷付くことが防止される。
【図面の簡単な説明】
【００１８】
【図１】図１は、本考案の一実施形態に係る釣竿用糸通し１の外観斜視図である。
【図２】図２は、本考案の一実施形態に係る釣竿用糸通し１の分解斜視図である。
【図３】図３は、本考案の一実施形態に係る釣竿用糸通し１の一端部における外観斜視図である。
【図４】図４は、本考案の一実施形態に係る釣竿用糸通し１の他端部における外観斜視図である。
【図５】図５の（Ａ）、（Ｂ）、（Ｃ）は、それぞれ、本考案の一実施形態に係る釣竿用糸通し１の使用方法に関する説明図である。
【考案を実施するための形態】
【００１９】
以下、本考案の好ましい実施形態が、適宜図面が参照されながら説明される。
【００２０】
図１は、本考案の一実施形態に係る釣竿用糸通し１の外観斜視図、図２は、当該釣竿用糸通し１の分解斜視図である。
【００２１】
図１及び図２が示す釣竿用糸通し１は、線材からなる本体１１（図２参照）と、本体１１を被覆する被覆材１２と、本体１１の一端部に設けられて釣糸を保持する保持器３０と、本体１１の他端部に設けられた把手２０とを有する。なお、以下においては、把手２０が設けられた側を「先端側」、保持器３０が設けられた側を「基端側」とする。
【００２２】
［本体１１］
【００２３】
本体１１は、ステンレスワイヤー線からなる。たとえば、本体１１の線径は、０．２ｍｍ〜０．５ｍｍ、本体１１の長さは、２０ｃｍ〜３５ｃｍに設定される。ただし、本体１１は、かかるサイズに限定されるものではない。本体１１の線径が調整されることにより、本体１１の剛性は所望に設計され得る。
【００２４】
ステンレスワイヤー線から構成される本体１１は、高い弾性を備える。このために、本体１１は、曲げモーメントが作用すると弾性的に湾曲変形し、曲げモーメントが除去されると、元の状態に戻る。
【００２５】
図２に示されるように、本体１１の先端側の端部に、鉤状に屈曲されたフック部１１Ａが形成されている。このフック部１１Ａは、把手２０の内部に挿入された状態で、当該把手２０と結合されている。
【００２６】
［被覆材１２］
【００２７】
被覆材１２は、樹脂からなるチューブである。ステンレスワイヤー線により構成された本体１１が被覆材１２によって被覆されているために、釣竿用糸通しをラインガイドに挿通させる際に、釣竿、ラインガイド等が傷付くことが防止される。
【００２８】
樹脂からなるチューブで構成された被覆材１２は、本体１１が弾性的に湾曲した場合に復元力を高める機能を有する。これにより、本体１１及び被覆材１２は、適切な剛性を実現できる。
【００２９】
［保持器３０］
【００３０】
図２に示されるように、本体１１の基端部（フック部１１Ａが設けられた端部とは反対側の端部）に保持器３０が設けられている。この保持器３０は、被覆材１２から露出した状態となっている。保持器３０は、釣糸が挿通可能な挿通孔３７を備える。
【００３１】
図３に示されるように、保持器３０は、鋼材（ＳＵＳ３０３）が屈曲されることにより、所定形状に形成される。鋼材の両端部である第１端部３５及び第２端部３６は、本体１１の軸方向１３に沿った状態で相互に向かい合って当接されている。第１端部３５及び第２端部３６は、本体１１に連結固定されている。なお、この連結部分は、保持器３０と本体１１との境界に相当する。
【００３２】
被覆材１２から露出された第１端部３５に第１湾曲部３１が設けられている。第１湾曲部３１は、本体１１に連続し、本体１１の軸方向１３と交差する方向に湾曲されている。第１湾曲部３１に第１真直部３２が連続して設けられている。第１真直部３２は、本体１１の軸方向１３に沿って延びている。
【００３３】
第１真直部３２が折り返されることにより、当該第１真直部３２と対向し且つ当接する第２真直部３３が設けられている。第２真直部３３の長さは、第１真直部３２と同程度である。
【００３４】
第２真直部３３に第２湾曲部３４が連続して設けられている。第２湾曲部３４は、本体１１の軸方向１３に対して第１湾曲部３１と対称に配置されている。第１湾曲部３１と第２湾曲部３４との間に、釣糸が挿通可能な挿通孔３７が形成されている。第２湾曲部３４に、上記第２端部３６が連続して設けられている。
【００３５】
第１真直部３２及び第２真直部３３は、上記鋼材（ＳＵＳ３０３）が折り返されることにより互いに対向し、当接している。ただし、第１真直部３２及び第２真直部３３は、軸方向１３の先端側に向かって漸次離れるように対向している。これにより、第１真直部３２が第１湾曲部３１に隣接する部分と、第２真直部３３が第２湾曲部３４に隣接する部分との間に、楔状の間隙が空けられており、この間隙が、挿通孔３７に連通している。
【００３６】
保持器３０は、被覆材１２から露出している。保持器３０は、被覆材１２から本体１１の軸方向１３に沿って５．０ｍｍ〜１０ｍｍ程度の長さだけ突出している。また、保持器３０の被覆材１２から露出した部分の寸法Ｌ（すなわち、本体１１の軸方向１３と直交する方向に沿った寸法Ｌ）は、２ｍｍ〜３ｍｍ程度に設定されている。このような構造の保持器３０は高い剛性を有し、本体１１の軸方向１３に沿って撓むおそれがない。
【００３７】
なお、保持器３０は、本体１１を構成するステンレスワイヤー線によって構成してもよい。この場合も、保持器３０と本体１１との境界部分は、被覆材１２内に位置される。
【００３８】
［把手２０］
【００３９】
把手２０は、図２に示されるように、第１把手半体２１及び第２把手半体２２を有する。これらは、平板状に形成されており、同様の外形を有する。第１把手半体２１及び第２把手半体２２の軸方向１３に沿う長さは、当該軸方向１３と直交する方向に沿う長さよりも長くなるように形成されている。第１把手半体２１及び第２把手半体２２は、図２及び図４に示されるように、本体１１のフック部１１Ａを挟んで相互に突き合わされて結合される。
【００４０】
図２に示されるように、第１把手半体２１の内面（第２把手半体２２に対向する面）に突起等が形成されている。この突起等は、本体１１のフック部１１Ａを位置決めする。本体１１のフック部１１Ａが第１把手半体２１の内面に対して位置決めされた状態で、第１把手半体２１と第２把手半体２２とが結合される。
【００４１】
第１把手半体２１及び第２把手半体２２は、たとえば、第２把手半体２２に設けられた係止爪（図示されず）が、第１把手半体２１に係止されることにより結合される。これにより、第１把手半体２１及び第２把手半体２２によって本体１１のフック部１１Ａが挟持されて、把手２０が本体１１の先端側の端部に取り付けられる。この場合、本体１１は、把手２０の軸方向１３の基端側の端部から延出する。
【００４２】
図４に示されるように、把手２０は略分銅形に形成されている。把手２０の長手方向（軸方向１３）の両側に位置する各端部は、それぞれ半円形状に形成されている。把手２０の軸方向１３の基端側の端部の曲率半径は、先端側端部の曲率半径よりも大きくなっている。
【００４３】
把手２０の中央部はくびれている。これにより、把手２０は、釣人によって把持しやすい形状になっている。把手２０の上記先端側の端部に貫通孔２３が形成されている。貫通孔２３は、第１把手半体２１及び第２把手半体２２の両方を貫通している。
【００４４】
［釣竿用糸通し１の使用方法］
【００４５】
このような構成の釣竿用糸通し１は、たとえば、釣人が、ワカサギ釣り用の釣竿において釣糸をラインガイドに挿通する場合に使用される。この場合における釣竿用糸通し１の使用方法を、図５の（Ａ）〜（Ｃ）に基づいて説明する。
【００４６】
図５（Ａ）に示されるワカサギ釣り用の釣竿５０は、釣竿本体５１と、電動リール５２とを有する。釣竿本体５１は、２０ｃｍ〜３５ｃｍ程度の長さである。電動リール５２には釣糸５３が巻き取られている。釣竿本体５１には、釣糸５３を案内する複数のラインガイド５４が取り付けられている。複数のラインガイド５４は、釣竿本体５１の軸方向１３に沿って、適当な間隔（数ｃｍ程度）を空けた状態で配置されている。
【００４７】
釣人が釣糸５３を全てのラインガイド５４に挿通する場合には、まず、電動リール５２から釣糸５３の先端が引き出される（図５（Ａ）参照）。釣竿用糸通し１は、釣竿本体５１の最も先端側に位置するラインガイド５４（このラインガイド５４を、「トップガイド５４」と称す。）よりも先端側に位置され、トップガイド５４と対向する。この場合、保持器３０がトップガイド５４と対向し、本体１１及び被覆材１２は、釣竿本体５１の軸方向１３に沿った状態になる。
【００４８】
次いで、釣人は、釣竿用糸通し１を、釣竿本体５１の軸方向１３に沿って、釣竿本体５１の基端部に向けて移動させる。この場合、釣人は、保持器３０がトップガイド５４内に挿入されるように、釣竿用糸通し１を操作する。
【００４９】
釣竿用糸通し１の本体１１は、所定の剛性を備えるから、釣人は、保持器３０の移動方向を容易に調整できる。これにより、釣人は、保持器３０をトップガイド５４に当接させることなく、容易にトップガイド５４に挿通することができる。保持器３０がトップガイド５４を通過すると、その後も、被覆材１２により被覆された本体１１の移動操作が継続される。これにより、保持器３０に連続して本体１１がすべてのラインガイド５４を挿通する。
【００５０】
釣人が釣竿用糸通し１を操作している間に、保持器３０がすべてのラインガイド５４に挿入されずにいずれかのラインガイド５４に当接した場合、本体１１は弾性的に湾曲する。この場合、本体１１を逆方向（釣竿本体５１の先端側方向）へ移動させて、保持器３０とラインガイド５４との当接状態を解除すると、本体１１は、弾性により釣竿本体５１に沿った状態に復帰する。したがって、このような状態で、再度、釣竿本体５１の基端側方向へ移動させることにより、保持器３０を当該ラインガイド５４に挿通させることができる。
【００５１】
以上のような釣人による釣竿用糸通し１の操作により、図５（Ａ）に示されるように、釣竿用糸通し１の本体１１は、全てのラインガイド５４内に挿通される。したがって、釣竿用糸通し１の全体を釣竿本体５１に沿って移動させるという簡単な操作によって、複数のラインガイド５４の全てに本体１１を挿通できる。
【００５２】
この場合、本体１１の長さが、釣竿本体５１と同程度の長さ（２０ｃｍ〜３５ｃｍ程度）になっているために、把手２０は、釣竿本体５１における最も先端部側に位置するラインガイド５４よりも、釣竿本体５１の先端側に位置される。
【００５３】
釣竿用糸通し１の本体１１が全てのラインガイド５４内を挿通した状態になると、電動リール５２から繰り出された釣糸５３の先端部が、保持器３０の挿通孔３７内に挿入される。挿通孔３７に挿入された釣糸５３の先端部は、第１真直部３２と第２真直部３３との間に形成された楔状の間隙（図３参照）に移動される。これにより、釣糸５３の先端部は、第１真直部３２と第２真直部３３とにより挟持される（図５（Ｂ）参照）。
【００５４】
次いで、釣人は、釣竿用糸通し１の把手２０を把持して、本体１１を、電動リール５２から離れる方向に移動させる。これにより、図５（Ｃ）に示されるように、保持器３０が、全てのラインガイド５４内を通過し、保持器３０に連続して、本体１１及び被覆材１２が全てのラインガイド５４内を通過する。その結果、保持器３０に保持された釣糸５３は、全てのラインガイド５４を挿通する。
【００５５】
その後、保持器３０による釣糸５３の先端部の保持が解除されて、釣糸５３の先端部に仕掛けが連結される。
【００５６】
［本実施形態の作用効果］
【００５７】
本実施形態では、ステンレスワイヤー線からなる本体１１が、細径で且つ一定の剛性を備えるから、釣人は、釣竿本体５１の軸方向１３に沿った状態で本体１１を容易に移動させることができる。これにより、保持器３０が簡単且つ迅速にラインガイド５４に挿通される。本体１１は、被覆材１２によって被覆されていることにより、本体１１と被覆材１２とは、適切な曲げ剛性とされる。しかも、釣竿本体５１、ラインガイド５２等が傷付くことが防止される。
【００５８】
この実施形態では、保持器３０は、釣糸が挿通可能な挿通孔３７を備えていることから、挿通孔３７に挿通された釣糸は保持器３０に容易に保持される。
【００５９】
この実施形態では、保持器３０は第１真直部３２及び第２真直部３３を有する。これらの間に上記挿通孔３７が形成され、この挿通孔３７に連続して上記楔形の間隙が形成されている（図３参照）。挿通孔３７に挿通された釣糸は、上記間隙に挟み込まれ、第１真直部３２と第２真直部３３とによって保持される。これにより、釣糸を保持器３０に保持させる作業が、一層容易になる。
【００６０】
この実施形態では、本体１１と保持器３０との境界部分が被覆材１２により被覆されることから、本体１１と保持器３０との境界部分が被覆材１２によって保護される。
【００６１】
この実施形態では、本体１１の他端部に把手２０が設けられていることから、釣人は、把手２０を把持した状態で本体１１及び被覆材１２を操作できる。
【００６２】
この実施形態では、把手２０は、第１把手半体２１及び第２把手半体２２を有し、第１把手半体２１及び第２把手半体２２が本体１１を挟持することから、本体１１に対する把手２０の取り付けが容易になる。
【００６３】
この実施形態では、本体１１は、直径は０．５ｍｍ以下、長さが２０ｃｍ〜３５ｃｍである。この構成によれば、ワカサギ釣り用の釣竿５０に設けられた全てのラインガイド５４に対して保持器３０を容易に挿通できる。
【符号の説明】
【００６４】
１  ・・・・釣竿用糸通し
１１・・・・本体
１２・・・・被覆材
２０・・・・把手
２１・・・・第１把手半体
２２・・・・第２把手半体
３０・・・・保持器
３１・・・・第１湾曲部
３２・・・・第１真直部
３３・・・・第２真直部
３４・・・・第２湾曲部
３５・・・・第１端部
３６・・・・第２端部
３７・・・・挿通孔
【図１】
0003202614.tif 000003
【図２】
0003202614.tif 000004
【図３】
0003202614.tif 000005
【図４】
0003202614.tif 000006
【図５】
0003202614.tif 000007